(57)【要約】      （修正有）【課題】開閉可能な通風口が形成されたピークを備え、快適な内部空間を提供できるテントを提供する。【解決手段】テント内部空間を形成し、ピークＰを含む通風口１１０が形成されたシート１００と、ピークＰを形成するように、シート内側で支持するピーク形成ポールと、ピーク形成ポールにより支持され、ピークＰを形成し、シート１００に固定結合された２つ以上のシート支持部材１４０の他端が結合されるピーク支持部１５０と、シート１００の外側で通風口１１０を覆蓋する覆蓋シート３００と、覆蓋シート３００の縁に沿って設けられた２つ以上の結合部に結合され、弾性力によって覆蓋シート３００を、ピークＰを中心に広げられた状態を保持する覆蓋維持部４００と、結合部に連結され、ピーク付近を経由し、下側に引っ張られることで、覆蓋維持部４００をピーク側に移動させ、覆蓋シート３００が通風口１１０を開放する開放部とを含むテントとする。【選択図】図７
2020084756.tif 000002
【特許請求の範囲】
【請求項１】
外側に突出された一つ以上のピークを有し、テント内部空間を形成し、前記ピークを含む通風口が形成されたシートと、
前記ピークを形成するように、前記シートの内側で前記シートを支持するピーク形成ポールと、
前記ピーク形成ポールにより支持され、前記ピークを形成し、前記シートに固定結合された２つ以上のシート支持部材の他端が結合されるピーク支持部と、
前記シートの外側で前記通風口を覆蓋する覆蓋シートと、
前記覆蓋シートの縁に沿って設けられた２つ以上の結合部に結合され、弾性力によって前記覆蓋シートを、前記ピークを中心に広げられた状態を保持する覆蓋維持部と、
前記結合部に連結され、前記ピーク付近を経由して下側に引っ張られることで、前記覆蓋維持部を前記ピーク側に移動させ、前記覆蓋シートが前記通風口を開放する開放部と、
を含むことを特徴とするテント。
【請求項２】
前記覆蓋維持部は、
前記覆蓋シートの縁に沿って設けられた２つ以上の前記結合部と、
一端が前記結合部に結合され、他端が前記シートに結合され、弾性力を有する伸縮可能な拡張ロープ部と、を含み、
前記拡張ロープ部は、前記覆蓋シートに引張力を作用させ、前記覆蓋シートが前記ピークを中心に広げられた状態を保持し、前記開放部によって前記覆蓋シートの縁が前記ピーク側に移動するとき、伸張されることを特徴とする請求項１に記載のテント。
【請求項３】
前記開放部は、
前記ピークに対して固定された位置に設けられた固定ガイド部と、
一端が前記覆蓋シートに結合され、前記固定ガイド部を経由するように、前記固定ガイド部に結合され、他端が使用者によって引っ張られ、前記覆蓋シートの縁を、前記ピーク側に移動させる引張部と、
を含むことを特徴とする請求項２に記載のテント。
【請求項４】
前記固定ガイド部は、前記ピーク形成ポール中の、前記ピーク付近に設けられたことを特徴とする請求項３に記載のテント。
【請求項５】
前記覆蓋維持部の前記結合部は、前記シート支持部材が結合された部分に設けられ、
前記引張部は、前記結合部に隣接して設けられることを特徴とする請求項４に記載のテント。
【請求項６】
前記開放部は、２つ以上が設けられ、
前記引張部に対する使用者の引張り作動の便宜のために、前記２つ以上の開放部の引張部は、２つ以上が互いに結合された状態で使用者によって引っ張られることを特徴とする請求項５に記載のテント。
【請求項７】
前記シート支持部材に結合され、前記引張部の移動をガイドする一つ以上の第１ロープガイド部と、前記覆蓋シートに結合され、前記引張部の移動をガイドする一つ以上の第２ロープガイド部の少なくとも一つを含むことを特徴とする請求項５に記載のテント。
【請求項８】
前記通風口は、虫がテントの内部空間に流入されることを防止するための防虫網が設けられたことを特徴とする請求項１〜７のいずれか１項に記載のテント。
【発明の詳細な説明】
【技術分野】
【０００１】
本発明は、テントに関し、より詳しくは、開閉可能な通風口が形成されたピークを備え、快適な内部空間を提供できるテントに関するものである。
【背景技術】
【０００２】
テントは、キャンプの花であり基本装備である。キャンプをするとき、テントは家同様である。風と雨を防ぎ、休む場所の提供はもちろん、多くの活動がテントを中心にして行われる。家を選ぶとき、几帳面に位置と坪数、価格などを調べるように、テントも同じである。キャンプスタイル、場所、人員に応じてそれぞれ見合ったテントを選択することができる。
【０００３】
また、テントは、特許文献１の「テント用換気窓の開閉装置」、特許文献２の「テント用喚起及び眺望窓開閉装置」等のように、テント内部を外部と喚起可能にすることによって、より快適な内部空間を提供している。
【０００４】
一方、従来のテントの喚起において、ピークの部分で通風口を形成し、喚起を可能にするテントもある。
【０００５】
しかし、ピークに通風口を形成する場合、使用者が通風口を開閉する際に、相対的に高い位置にあることから、通風口の開閉が不便な問題があった。
【先行技術文献】
【特許文献】
【０００６】
【特許文献１】韓国実用新案登録第２０−０２７２７２９号公報
【特許文献２】韓国特許第１０−１４１５２９５号公報
【発明の概要】
【発明が解決しようとする課題】
【０００７】
本発明の目的は、前述するような問題点を解決するために、覆蓋シートを用いてピークに形成された通風口を簡単に開閉できるテントを提供することにある。
【課題を解決するための手段】
【０００８】
本発明は前記のような本発明の目的を達成するために案出されたものであり、本発明は、外側に突出された一つ以上のピークを有し、テント内部空間を形成し、前記ピークを含む通風口が形成されたシートと、前記ピークを形成するように、前記シートの内側で前記シートを支持するピーク形成ポールと、前記ピーク形成ポールにより支持され、前記ピークを形成し、前記シートに固定結合された２つ以上のシート支持部材の他端が結合されるピーク支持部と、前記シートの外側で前記通風口を覆蓋する覆蓋シートと、前記覆蓋シートの縁に沿って設けられた２つ以上の結合部に結合され、弾性力によって前記覆蓋シートを、前記ピークを中心に広げられた状態を保持する覆蓋維持部と、前記結合部に連結され、前記ピーク付近を経由して下側に引っ張られることで、前記覆蓋維持部を前記ピーク側に移動させ、前記覆蓋シートが前記通風口を開放する開放部と、を含むことを特徴とするテントを開示する。
【０００９】
前記覆蓋維持部は、前記覆蓋シートの縁に沿って設けられた２つ以上の前記結合部と、一端が前記結合部に結合され、他端が前記シートに結合され、弾性力を有する伸縮可能な拡張ロープ部と、を含み、前記拡張ロープ部は、前記覆蓋シートに引張力を作用させ、前記覆蓋シートが前記ピークを中心に広げられた状態を保持し、前記開放部によって前記覆蓋シートの縁が前記ピーク側に移動すると、伸張され得る。
【００１０】
前記開放部は、前記ピークに対して固定された位置に設けられた固定ガイド部と、一端が前記覆蓋シートに結合され、前記固定ガイド部を経由するように前記固定ガイド部に結合され、他端が使用者によって引っ張られ、前記覆蓋シートの縁を前記ピーク側に移動させる引張部と、を含み得る。
【００１１】
前記固定ガイド部は、前記ピーク形成ポール中、前記ピーク付近に設けられ得る。
前記覆蓋維持部の前記結合部は、前記シート支持部材が結合された部分に設けられ、前記引張部は、前記結合部に隣接して設けられ得る。
【００１２】
前記開放部は、２つ以上が設けられ、前記引張部に対する使用者の引張り作動の便宜のために、前記２つ以上の開放部の引張部は、２つ以上が互いに結合された状態で使用者によって引っ張られ得る。
【００１３】
本発明によるテントは、前記シート支持部材に結合され、前記引張部の移動をガイドする一つ以上の第１ロープガイド部と、前記覆蓋シートに結合され、前記引張部の移動をガイドする一つ以上の第２ロープガイド部の少なくとも一つを含み得る。
【００１４】
前記通風口は、虫がテントの内部空間に流入されることを防止するための防虫網が設けられ得る。
【発明の効果】
【００１５】
本発明によるテントは、ポールにより形成されるピーク付近に通風口を設け、ポールに結合され、通風口を開閉する覆蓋シートをさらに設けることで、テントの内部空間に快適環環境を提供できる利点がある。
【００１６】
また、本発明によるテントは、使用者の選択に応じて、通風口の開閉及び閉鎖が可能なように、覆蓋シートによる通風口の閉鎖状態を保持する覆蓋維持部と、覆蓋シートが通風口を開放するようにする開放部とを備えることで、通風口に対する覆蓋シートの開閉作用が便利になる利点がある。
【００１７】
特に、前記覆蓋シートによって通風口を開閉することにおいて、平常時には、弾性力によって覆蓋シートが通風口を覆蓋し、使用者の引張作用によって通風口が開放され、引張り作動の解除時、弾性力によって覆蓋シートが再び通風口を閉鎖するようにすることで、通風口の開閉作動がより便利になり、使用性を大きく増大させることができる。
【図面の簡単な説明】
【００１８】
【図１】本発明によるテントの斜視図である。
【図２】図１のテントにおける覆蓋シートが設けられたピーク付近を示す一部正面図である。
【図３】図１のテントにおける覆蓋シートが設けられたピーク付近を示す一部側面図である。
【図４】図１のテントにおける覆蓋シートが設けられたピーク付近を上方から見た一部平面図である。
【図５】図１のテントにおける覆蓋シートが設けられたピーク付近を底面（開放部が未図示）から見た一部底面図である。
【図６】図１のテントにおける覆蓋シートが設けられたピーク付近の垂直断面図であり、覆蓋シートが通風口を覆蓋した状態を示す断面図である。
【図７】図１のテントにおける覆蓋シートが設けられたピーク付近の垂直断面図であり、覆蓋シートが通風口を開放した状態を示す断面図である。
【図８】本発明の他の実施例によるテントを示す斜視図である。
【図９】本発明によるテントを実際の製品として実現した例であり、覆蓋シートが通風口を覆蓋して閉鎖した状態を示す写真である。
【図１０】本発明によるテントを実際の製品として実現した例であり、覆蓋シートが通風口を覆蓋して閉鎖した状態を示す写真である。
【図１１】本発明によるテントを実際の製品として実現した例であり、覆蓋シートが通風口を開放した状態を示す写真である。
【図１２】本発明によるテントを実際の製品として実現した例であり、覆蓋シートが通風口を開放した状態を示す写真である。
【発明を実施するための最良の形態】
【００１９】
以下、本発明によるテントを添付された図面を参照して詳細に説明する。
【００２０】
本発明によるテントは、図１〜図８に示されるように、外側に突出された一つ以上のピークＰを有し、テント内部空間を形成し、ピークＰを含む通風口１１０が形成されたシート１００と、ピークＰを形成するように、シート１００の内側でシート１００を支持するピーク形成ポール２００と、ピーク形成ポール２００によって支持され、ピークＰを形成し、シート１００に固定結合された２つ以上のシート支持部材１４０の他端が結合されるピーク支持部１５０と、シート１００の外側で通風口１１０を覆蓋する覆蓋シート３００と、覆蓋シート３００の縁に沿って設けられた２つ以上の結合部４２０に結合され、弾性力によって覆蓋シート３００を、ピークＰを中心に広げられた状態を保持する覆蓋維持部４００と、結合部４２０に連結され、ピークＰ付近を経由して下側に引っ張られることで、覆蓋維持部４００をピークＰ側に移動させ、覆蓋シート３００が通風口１１０を開放する開放部５００と、を含む。
【００２１】
前記シート１００は、図１及び図８に示されるように、外側に突出された一つ以上のピークＰを有し、テント内部空間を形成し、ピークＰを含む部分で通風口１１０が形成された構成であり、一つ以上のポール部材、フレームなどによって支持され、使用者が生活できる内部空間を形成し、テントの全体形状及び構造に応じて多様な構成が可能である。
【００２２】
前記シート１００は、テントの天井、壁をなす構成であり、一つ以上のポール部材、フレームなどによって支持されることで、テントの全体的な形状をなし、設置が完成されたテントの天井及び壁を形成することができる。
【００２３】
一例として、前記シート１００は、一つ以上のポール２００、フレーム６００と、ポール２００及びフレーム６００のそれぞれが結合される結合部１９０が外側面及び内側面の少なくとも一つに形成され得る。
【００２４】
前記結合部１９０は、シート１００を支持し、テントの外形を形成できるように、ポール２００、フレーム６００が結合される構成であり、ポール２００、フレーム６００との結合構造に応じて多様な構成が可能である。
【００２５】
また、前記シート１００は、ポリエステル素材、綿素材など多様な材質で形成され、テントの使用環境などに応じて防水材質をさらに含むことができる。
【００２６】
前記ピークＰは、シート１００によって形成される立替形状において外側に尖るように突出される部分であり、後記するピーク形成ポール２００によって形成される。
【００２７】
一方、本発明によるテントのシート１００は、図１及び図８に示されるように、後記するポール２００によって外側に突出された一つ以上のピークＰが形成され、ピークＰを含む部分で通風口１１０が形成されていることを特徴とする。
【００２８】
ここで、ピークＰが複数形成されるとき、通風、喚起の便宜のために、少なくとも一部のピークＰに通風口１１０が形成されることはもちろんである。
【００２９】
一例として、前記ピークＰが複数形成されるとき、通風口１１０は、複数のピークＰの一部、好ましくは通風、喚起に最適化された位置のピークＰ、より好ましくは最上側部に位置されたピークＰにだけ形成され得る。
【００３０】
前記通風口１１０は、テントの内部空間Ｓへの通風のために、シート１００中、ピークＰが形成された部分に開口として形成される。
【００３１】
また、前記シート１００は、円滑な通風のために対向する位置に一対の通風口１１０が形成され得る。
【００３２】
前記ピーク形成ポール２００は、ピークＰを形成するように、シート１００の内側でシート１００を支持する構成であり、多様な構成が可能である。
【００３３】
特に、前記ピーク形成ポール２００は、シート１００の外側に突出されるピークＰを形成できるいかなる構成であってもよい。
【００３４】
一例として、前記ピーク形成ポール２００は、ピークＰが上側に突出されるように、地面から垂直に又は斜めに設けられ得る。
【００３５】
また、前記ピーク形成ポール２００は、シート１００の安定な支持のために、堅固な材質である金属、グラファイトなどの材質であってもよく、携帯性の便宜のために長手方向に互いに結合される複数の円筒状ロッドによって構成され得る。
【００３６】
一方、前記ピーク形成ポール２００は、突出ピンなど上端に後記するピーク支持部１５０との結合構造を備えていてもよい。
【００３７】
前記ピーク支持部１５０は、ピーク形成ポール２００によって支持され、ピークＰを形成し、シート１００に固定結合された２つ以上のシート支持部材１４０の他端が結合される構成であり、ピーク形成ポール２００との結合構造に応じて多様な構成が可能である。
【００３８】
一方、前記ピーク支持部１５０は、ピーク形成ポール２００によってシート１００を支持できるように、シート１００に固定結合された２つ以上のシート支持部材１４０の他端が結合される。
【００３９】
前記シート支持部材１４０は、他端がピーク支持部１５０と結合され、他端がシート１００に固定されることで、ピーク形成ポール２００がシート１００を支持すると共に、ピークＰを形成する。
【００４０】
前記シート支持部材１４０は、例えば、シート１００に結合されることで別途の部材として構成されるか、シート１００を構造的に補強する部材として同時に使用できる。
【００４１】
特に、前記シート支持部材１４０は、ピークＰを中心に円周方向に沿って間隔を置いて２つ以上が設けられるのが好ましい。
【００４２】
ここで、前記シート支持部材１４０の円周方向設置間隔は、ピークＰによって形成されるテントの外形に対応して決定され得る。
【００４３】
また、前記シート支持部材１４０は、ロープ構造、所定の幅を有するバンド構造など多様な構造であってもよい。
【００４４】
前記覆蓋シート３００は、シート１００の外側で通風口１１０を覆蓋する構成であり、図４及び図５に示されるように、通風口１１０を十分に閉鎖できるように、ピークＰ及び通風口１１０を含む立替形状よりは大きく形成される。
【００４５】
即ち、前記覆蓋シート３００の縁は、通風口１１０の縁よりも大きく形成されるのが好ましい。
【００４６】
一方、前記覆蓋シート３００は、テント全体をなすシート１００と同じであるか、類似な材質が用いられてもよい。
【００４７】
前記覆蓋維持部４００は、覆蓋シート３００の縁に沿って設けられた２つ以上の結合部４２０に結合され、弾性力によって覆蓋シート３００を、ピークＰを中心に広げられた状態を保持する構成であり、多様な構成が可能である。
【００４８】
一例として、前記覆蓋維持部４００は、覆蓋シート３００の縁に沿って設けられた２つ以上の結合部４２０と、一端が結合部４２０に結合され、他端がシート１００に結合され、弾性力を有する伸縮可能な拡張ロープ部４３０を含むことで、拡張ロープ部４３０が覆蓋シート３００に引張力を作用させる。覆蓋シート３００がピークＰを中心に広げられた状態を保持し、開放部５００によって覆蓋シート３００の縁がピークＰ側に移動するとき、伸張され得る。
【００４９】
前記２つ以上の結合部４２０は、後記する拡張ロープ部４３０の結合のために、覆蓋シート３００に覆蓋シート３００の縁に沿って設けられる構成であり、拡張ロープ部４３０との結合構造に応じて多様な構成が可能である。
【００５０】
一例として、前記結合部４２０は、覆蓋シート３００の外面又は内面に後記する拡張ロープ部４３０のロープが結合されるバンドで構成されてもよい。
【００５１】
一方、前記結合部４２０の位置は、後記する開放部５００の作動などを考慮して、前述したシート支持部材１４０の設置位置に対応、即ち、シート支持部材１４０の長手方向に沿って平行するように設けられ得る。
【００５２】
このとき、前記結合部４２０は、全シート支持部材１４０に又は一部に対応して設けられ得る。
【００５３】
前記拡張ロープ部４３０は、一端が結合部４２０に結合され、他端がシート１００に結合され、弾性力を有する伸縮可能ある構成であり、伸縮性のロープ、ワイヤなど伸縮可能な材質ならいかなる材質であってもよい。
【００５４】
一方、前記シート１００は、拡張ロープ部４３０の一端が結合される部位は、拡張ロープ部４３０との結合構造に応じて多様な部材が設けられてもよく、前述した通りに、拡張ロープ部４３０のロープが結合されるバンドで構成されてもよい。
【００５５】
前記開放部５００は、結合部４２０に連結され、ピークＰ付近を経由して下側に引っ張られることで、覆蓋維持部４００をピークＰ側に移動させ、覆蓋シート３００が通風口１１０を開放する構成であり、多様な構成が可能である。
【００５６】
一例として、前記開放部５００は、ピークＰに対して固定された位置に設けられた固定ガイド部１８１と、一端が覆蓋シート３００に結合され、固定ガイド部１８１を経由するように固定ガイド部１８１に結合され、他端が使用者によって引っ張られ、覆蓋シート３００の縁をピークＰ側に移動させる引張部５１０とを含むことができる。
【００５７】
前記固定ガイド部１８１は、ピークＰに対して固定された位置に設けられた構成であり、後記する引張部５１０が覆蓋シート３００の縁をピークＰ側に移動させるために、引張部５１０の一部を支持する構成であり、様な構成が可能である。
【００５８】
一例として、前記固定ガイド部１８１は、ピークＰ付近でピーク形成ポール２００又はピーク支持部１５０に設けられたリングなどで構成されてもよい。
【００５９】
また、前記固定ガイド部１８１は、後記するシート支持部材１４０に結合され、引張部５１０の移動をガイドする一つ以上の第１ロープガイド部１４２であり、又はピーク形成ポール２００又はピーク支持部１５０に設けられたリングとともに構成され得る。
【００６０】
前記固定ガイド部１８１の原理は、後記する引張部５１０を構成するロープが挿入され、使用者がロープを下側に引っ張るとき、ロープを支持することで、引張部５１０の引張り作用によって覆蓋シート３００の縁をピークＰ側に移動させることができる。
【００６１】
また、後記する引張部５１０によって覆蓋シート３００の引張り作動が円滑になるように、シート支持部材１４０に結合され、引張部５１０の移動をガイドする一つ以上の第１ロープガイド部１４２と、覆蓋シート３００に結合され、引張部５１０の移動をガイドする一つ以上の第２ロープガイド部３４０の少なくとも一つが設けられ得る。
【００６２】
前記第１ロープガイド部１４２は、一つ以上が設けられ、シート支持部材１４０に結合され、引張部５１０の移動をガイドする構成であり、多様な構成が可能である。
【００６３】
特に、前記第１ロープガイド部１４２は、前述した固定ガイド部の役割を果たす。
【００６４】
一例として、前記第１ロープガイド部１４２は、シート支持部材１４０に結合されるバンド部材１４２ａと、バンド部材１４２ａに結合され、引張部５１０を構成するロープが挿入されるリング１４２ｂとを含む。
【００６５】
前記第２ロープガイド部３４０は、一つ以上が設けられ、覆蓋シート３００に結合され、引張部５１０の移動をガイドする構成であり、多様な構成が可能である。
【００６６】
一例として、前記第２ロープガイド部３４０は、覆蓋シート３００に結合されるバンド部材３４１と、バンド部材３４１に結合され、引張部５１０を構成するロープが挿入されるリング３４２を含む。
【００６７】
前記引張部５１０は、一端が覆蓋シート３００に結合され、固定ガイド部１８１を経由するように、固定ガイド部１８１に結合され、他端が使用者によって引っ張られ、覆蓋シート３００の縁がピークＰ側に移動させる構成であり、一つ以上のロープ、バンドなどで構成される。
【００６８】
具体的に、前記引張部５１０は、一つ以上のロープ、バンド、ワイヤなどで構成され、一端が覆蓋シート３００に結合され、固定ガイド部１８１を経由するように固定ガイド部１８１に結合され、他端が使用者によって引っ張られ、覆蓋シート３００の縁がピークＰ側に移動させることができる構成であればいかなる構成であってもよい。
【００６９】
一方、前記開放部５００が、２つ以上が設けられるとき、引張部５１０に対する使用者の引張り作動の便宜のために、２つ以上の開放部５００の引張部５１０は、２つ以上が互いに結合された状態で使用者によって引っ張られ得る。
【００７０】
具体的に、前記引張部５１０は、覆蓋維持部４００の結合部４２０の少なくとも一部に対応して設けられ得る。
【００７１】
また、前記２つ以上の引張部５１０を構成するロープは、２個ずつ、３個ずつなど、また一つ以上が結合された後、結合された状態で使用者により引っ張られ得る。
【００７２】
また、前記覆蓋維持部４００の結合部４２０が、ピーク支持部１５０が結合された部分に設けられてもよく、引張部５１０は、結合部４２０に隣接して設けられ得る。
【００７３】
一方、前記引張部５１０は、引張り作動によって覆蓋シート３００が通風口１１０を開放した状態を保持するように、即ち、引張り状態を保持できるように、他端の選択的固定が必要とされる。
【００７４】
これに対し、一例として、前記引張部５１０の他端は、ピーク形成ポール２００に設けられた固定リング１９０に止係される係止部２９０が備えられ得る。
【００７５】
前記係止部２９０は、引張部５１０の他端に備えられ、ピーク形成ポール２００に設けられた固定リング１９０に止係される構成であり、固定リング１９０に単純に束ねられる構造であり、引張部５１０の終端部を形成するロープの一部分、引張部５１０の終端部を形成するロープのリング構造、引張部５１０の終端部を形成するロープに結合されたフックなど多様な構成が可能である。
【００７６】
一方、前記通風口１１０は、虫などがテントの内部空間に流入されるのを防止するための防虫網（未図示）が設けられ得る。
【００７７】
前記防虫網は、虫などがテントの内部空間で流入されるのを防止するために設けられる構成であり、虫などの進入を防ぐために使用される防虫網材質と間隔をあけて設けられており、シート１００に結合して設けられて形成され得る。
【００７８】
前記メッシュ網は、キャンプなどに主に利用されるテントの特性上内部の明かりにより虫の誘引が活発になるところ、虫などの進入を遮断する構成であってもよく、より好ましくはテント内部の別途電源装置又は電池装置を用いて、電気により侵入する虫などを遮断することができる。
【００７９】
一方、前記シート１００は、一例として、多面体のテントの一面に使用者が内部空間に出入りすることができるように出入り部が形成される。
【００８０】
前記出入り部は、シート１００が形成する多面体の一面に形成される構成であり、分離されるテントの内部空間と外部空間とを出入りすることができるようにする多様な構成であってもよい。
【００８１】
前記出入り部は、シート１００に形成される開放部であって、使用者が出入りできるほどのサイズを有する出入り開放部と、出入り開放部で虫などの進入を遮断するためのメッシュ網（未図示）と、出入り開放部を覆蓋する出入り覆蓋部と、出入り覆蓋部をシート１００と結合する脱着部とを含む。
【００８２】
前記脱着部は、出入り覆蓋部とシート１００を脱着させることで、出入り開放部を開放及び覆蓋する構成であり、具体的に、ベルクロ(登録商標)、ジッパー形式などが使用される。
【００８３】
一方、前記シート１００は、使用者のテント空間活用を増大して、日光の遮断のために、遮光部を含む。
【００８４】
前記遮光部は、テントの外部にシート１００と延びて設けられ、日光を遮断し、日陰を形成する構成であり、多様な構成であってもよい。
【００８５】
本発明によるテントは、下端の平面形状が多角形形状を有し、多角形の頂点に結合され、外部に設けられた固定構造物と結合されることで、テントの外形をなす固定結合部を含むことができる。
【００８６】
前記固定結合部は、下端の平面形状が多角形形状を有し、多角形の頂点に結合され、外部に設けられた固定構造物と結合されることで、テントの外形をなす構成であり、多様な構成が可能である。
【００８７】
一方、本発明によるテントの実際例として、覆蓋維持部及び開放部を示す写真を図９〜１２に示す。
【００８８】
以上は本発明によって具現できる好ましい実施例の一部について説明したものであり、周知ように発明の範囲は、前記実施例に限定されて解釈されるものではない。前述した本発明の技術的思想と、その根本を共にする技術的思想は全部本発明の範囲に含まれる。
【符号の説明】
【００８９】
１００  シート
２００  ピーク形成ポール
３００  固定結合部
４００  覆蓋維持部
【図１】
2020084756.tif 000003
【図２】
2020084756.tif 000004
【図３】
2020084756.tif 000005
【図４】
2020084756.tif 000006
【図５】
2020084756.tif 000007
【図６】
2020084756.tif 000008
【図７】
2020084756.tif 000009
【図８】
2020084756.tif 000010
【図９】
2020084756.tif 000011
【図１０】
2020084756.tif 000012
【図１１】
2020084756.tif 000013
【図１２】
2020084756.tif 000014